(57)【要約】【課題】商品を容易に見やすい状態で展示できるようにし、用紙の使用量も抑制する。【解決手段】端壁１，３及び側壁２から角筒状の周壁を形成し、端壁１，３の下端に端底板５，６を、側壁２の下端に側底板７をそれぞれ連設し、端底板５，６の一側部と側底板７とを貼り合わせ、側底板７同士を噛み合わせて底壁１９を形成し、端底板５，６の屈曲に伴い扁平に折り畳んだ状態から、端底板５，６の屈曲を伸ばして箱体に組み立てる箱において、前記端底板５に、端壁１との境界から中央側が離れるように山折線１４を入れると共に、その中央部分に切込１５を入れて、切込の内側に脚片１６を形成し、脚片１６の先端から端壁１との境界へかけて谷折線１７を入れ、展示に際し、端壁１と端底板５の境界に谷折線１７が交わる部分を押し込むと、端底板５及び端壁１の窪みに伴い、脚片１６が下方へ突出し、底壁１９が傾斜した状態に支持されるようにする。【選択図】図４
2011093560.tif 000002
【特許請求の範囲】
【請求項１】
端壁(1,3)及び側壁(2)から角筒状の周壁を形成し、端壁(1,3)の下端に端底板(5,6)を、側壁(2)の下端に側底板(7)をそれぞれ連設し、端底板(5,6)の一側部と側底板(7)とを貼り合わせ、側底板(7)同士を噛み合わせて底壁(19)を形成し、端底板(5,6)の屈曲に伴い扁平に折り畳んだ状態から、端底板(5,6)の屈曲を伸ばして箱体に組み立てる箱において、前記端底板(5)に、端壁(1)との境界から中央側が離れるように山折線(14)を入れると共に、その中央部分に切込(15)を入れて、切込の内側に脚片(16)を形成し、脚片(16)の先端から端壁(1)との境界へかけて谷折線(17)を入れ、展示に際し、端壁(1)と端底板(5)の境界に谷折線(17)が交わる部分を押し込むと、端底板(5)及び端壁(1)の窪みに伴い、脚片(16)が下方へ突出し、底壁(19)が傾斜した状態に支持されることを特徴とする展示箱。
【発明の詳細な説明】
【技術分野】
【０００１】
この発明は、店頭での商品の展示に使用できるようにした展示箱に関するものである。
【背景技術】
【０００２】
従来、下記特許文献１には、図７に示すように、端壁５１及び側壁５２から角筒状の周壁を形成し、底壁５３で底面を閉じ、蓋板５４で天面を封緘し、展示時における上部除去用の切目線５５のうち、両側壁５２の部分を波形状とし、その下方に折目線５６を入れ、折目線５６と切目線５５の間を折込片５７とした展示箱が記載されている。
【０００３】
この展示箱では、図８に示すように、切目線５５を切断し、上部を除去して菓子の小袋等の商品Ｐを露出させる展示状態において、折込片５７を内側へ折り込むと、折込片５７が反発して波形状の先端縁で商品Ｐを押圧するので、商品Ｐの前倒れが防止され、前方の端壁５１を利用した表示板５８を迫り出させると、訴求効果を高められる。
【０００４】
また、底壁５３は、端壁５１及び側壁５２の下端にそれぞれ端底板５９及び側底板６０を連設し、端底板５９の一側部と側底板６０とを貼り合わせ、側底板６０同士を噛み合わせて形成されているので、この展示箱は、端底板５９の屈曲に伴い扁平に折り畳んだ状態から、端底板５９の屈曲を伸ばして、迅速に組み立てることができる。
【０００５】
また、他の展示箱として、下記特許文献２には、図９に示すように、側壁５２の下端から延びる三角形の折上部５２ａと、後方の端壁５１の下端から延びる折上部５１ａとを内側上方へ折り返し、折上部５１ａの上端及び前方の端壁５１の下端から延びる端底板５９と、折上部５２ａの上端から延びる側底板６０により、後上がりに傾斜した底壁５３を形成し、展示状態で後方の商品ほど高い位置に支持するものが記載されている。
【先行技術文献】
【特許文献】
【０００６】
【特許文献１】特開２００１−３５４２３７号公報
【特許文献２】特許第３２８３２３６号公報
【発明の概要】
【発明が解決しようとする課題】
【０００７】
しかしながら、図７及び図８に示すように、先端縁が波状の折込片５７を設けた展示箱では、商品の展示に際し、開封性に優れたジッパ型の切目線ではなく、波形状の切目線５５を切断しなければならず、この作業が難しいという問題がある。
【０００８】
また、図９に示す特許文献１に記載の展示箱では、展示に際し、前後逆に向けると、底壁５３が前上がりとなるので、商品の前倒れを防止することができるが、側壁５２及び端壁５１の下端から折上部５２ａ，５１ａを延出する必要があり、材料となる用紙の使用量が増加するという問題がある。
【０００９】
そこで、この発明は、商品を容易に見やすい状態で展示できるようにし、用紙の使用量も抑制することを課題とする。
【課題を解決するための手段】
【００１０】
上記課題を解決するため、この発明は、端壁及び側壁から角筒状の周壁を形成し、端壁の下端に端底板を、側壁の下端に側底板をそれぞれ連設し、端底板の一側部と側底板とを貼り合わせ、側底板同士を噛み合わせて底壁を形成し、端底板の屈曲に伴い扁平に折り畳んだ状態から、端底板の屈曲を伸ばして箱体に組み立てる箱において、前記端底板に、端壁との境界から中央側が離れるように山折線を入れると共に、その中央部分に切込を入れて、切込の内側に脚片を形成し、脚片の先端から端壁との境界へかけて谷折線を入れ、展示に際し、端壁と端底板の境界に谷折線が交わる部分を押し込むと、端底板及び端壁の窪みに伴い、脚片が下方へ突出し、底壁が傾斜した状態に支持されるようにしたのである。
【発明の効果】
【００１１】
この展示箱では、商品を展示する際、端壁と端底板の境界に谷折線が交わる部分を押し込むだけで、脚片が下方へ突出して、底壁が傾斜し、商品を消費者から見えやすい角度に傾けることができるので、容易に訴求性を向上させることができる。
【００１２】
また、端底板と側底板とが重なった底壁において、その端底板の一部を脚片としているので、脚片の突出に伴い、底壁に商品が落下するような穴が開くこともない。
【００１３】
また、側壁や端壁を下方へ延長することなく、端底板に切込を入れて脚片を形成しているので、用紙の使用量が増大することもない。
【図面の簡単な説明】
【００１４】
【図１】一実施形態に係る展示箱のブランクを示す図
【図２】同上の組立状態を示す上方からの斜視図
【図３】同上の下方からの斜視図
【図４】同上の前上がりにした商品展示状態を示す斜視図
【図５】同上の店頭の棚に載せた状態の側面図
【図６】他の実施形態に係る展示箱を後上がりにした商品展示状態を示す斜視図
【図７】従来の展示箱の組立状態を示す斜視図
【図８】同上の商品展示状態を示す斜視図
【図９】従来の他の展示箱の組立状態を示す斜視図
【発明を実施するための形態】
【００１５】
以下、この発明の実施形態を添付図面に基づいて説明する。
【００１６】
この展示箱は、図１に示すような板紙のブランクから形成される。このブランクでは、端壁１の両側に側壁２が連設され、その一側に端壁３が、他側に継代片４がそれぞれ順次連設されている。
【００１７】
端壁１，３の下端にはそれぞれ端底板５，６が連設され、一対の側壁２の下端には側底板７が連設されている。一対の側壁２の上端には蓋受片８が連設され、端壁３の上端には蓋板９及び差込片１０が順次連設されている。
【００１８】
端底板５，６には、それぞれ一側の基端から折畳用の谷折線５ａ，６ａが斜め方向に入れられ、端底板５，６の他側縁は、斜めに切断されている。
【００１９】
一対の側壁２には、それぞれ端壁３側の上端及び継代片４側の上端から端壁１側の中間下部まで斜め方向に延びる切目線１１が入れられ、端壁１には、切目線１１の下端間に亘る切目線１２が入れられている。
【００２０】
切目線１１は、鉤状の切目が断続するジッパ型とされ、切目線１２は、直線の切目が断続するミシン目状とされている。端壁３と蓋板９との境界の罫線１３は、押罫とミシン目状の切目が断続するリード罫とされている。
【００２１】
端底板５には、端壁１との境界を両端としてＶ字状に山折線１４が入れられ、その中央部分に切込１５を入れて、切込１５の内側に脚片１６が形成されている。脚片１６の幅方向中間部には、先端から端壁１との境界へかけて縦方向の谷折線１７が入れられている。
【００２２】
また、谷折線１７に連続して、端壁１にもＶ字状に谷折線１８が入れられ、山折線１４及び谷折線１７，１８は、押罫とミシン目状の切目が断続するリード罫とされている。
【００２３】
また、側底板７の端底板５側の側縁は、端底板５の基端に対する山折線１４の角度に対応して、斜めに切断されている。
【００２４】
このようなブランクを組み立てて、菓子の小袋等の商品を包装するには、図２及び図３に示すように、各一対の端壁１及び側壁２を角筒状に折り曲げ、継代片４を端壁３に貼り付けて周壁を形成し、端底板５，６の谷折線５ａ，６ａより外側の一側部と側底板７とを貼り合わせる。
【００２５】
この状態で、谷折線５ａ，６ａに沿って端底板５，６を屈曲させると、この展示箱は、扁平に折り畳むことができ、嵩張らない状態で、展示箱の製造元から使用者へ配送し、保管しておくことができる。
【００２６】
また、この展示箱は、商品を包装する際、端底板５，６の屈曲を伸ばすだけで、迅速に組み立てることができ、その状態で、側底板７同士を噛み合わせると、端底板５，６及び側底板７から底壁１９が形成されて、底面が閉じられる。
【００２７】
そして、商品収納後、蓋受片８を内側へ折り曲げて、蓋板９を閉じ、差込片１０を箱内に挿入して封緘すると、商品の包装が完了する。
【００２８】
一方、このように包装した商品を店頭で展示して販売する際には、罫線１３の切断に伴い、蓋板９を除去すると共に、図４及び図５に示すように、切目線１１，１２を切断して周壁の上部を除去し、商品Ｐを露出させる。
【００２９】
次に、端壁１と端底板５の境界に谷折線１７，１８が交わる部分を押し込むと、山折線１４及び谷折線１７，１８に沿って端底板５及び端壁１が窪むように屈曲し、脚片１６が下方へ突出して、店頭の棚Ｌに載せたとき、底壁１９が傾斜した状態に支持される。
【００３０】
上記のように、この展示箱では、商品を展示する際、端壁１と端底板５の境界に谷折線１７，１８が交わる部分を押し込むだけで、脚片１６が下方へ突出して、底壁１９が傾斜するので、商品Ｐの前倒れを容易に防止し、商品Ｐのフェイス面を消費者から見えやすい角度に傾けて、訴求力を向上させることができる。
【００３１】
また、端底板５，６と側底板７とが重なった底壁１９において、端底板５の一部を脚片１６としているので、脚片１６の突出に伴い、底壁１９に商品Ｐが落下するような穴が開くこともない。
【００３２】
また、端底板５に切込１５を入れて脚片１６を形成しているので、材料となる用紙の使用量が増大することもない。
【００３３】
なお、上記実施形態では、菓子の小袋等の商品Ｐを起立させて前後に並べた状態で、箱内に収納するものを例示したが、図６に示すように、映画やゲームソフトのＤＶＤ等、扁平なパッケージの商品Ｄを平積みにして収納する展示箱においては、後方が高くなるように、店頭の棚Ｌに設置して、商品Ｄのフェイス面が見えやすくなるようにするとよい。
【００３４】
この場合、前後方向全体に亘って箱の深さが浅くなるように、周壁に均等な高さに切目線を入れ、周壁上部を除去するとよい。
【００３５】
また、上記実施形態では、端壁１にＶ字状に谷折線１８を入れたものを例示したが、端壁１の谷折線１８は、端底板５の谷折線１７を垂直に上方に延長した１本の罫線とし、その上端に逃穴を設けるようにしてもよく、材料が薄手で端壁１が撓みやすい場合には、谷折線１８を省略してもよい。
【００３６】
また、脚片１６の谷折線１７は、端壁１と端底板５との境界へ向けて収束するように逆Ｖ字状に入れたり、平行に複数本入れたりしてもよい。
【００３７】
また、上記実施形態では、周壁が四角筒状のものを例示したが、周壁が六角筒状や八角筒状等をなす展示箱においても、底部に同様の構成を採用することができる。
【符号の説明】
【００３８】
１  端壁
２  側壁
３  端壁
４  継代片
５，６  端底板
５ａ，６ａ  谷折線
７  側底板
８  蓋受片
９  蓋板
１０  差込片
１１，１２  切目線
１３  罫線
１４  山折線
１５  切込
１６  脚片
１７，１８  谷折線
１９  底壁
【図１】
2011093560.tif 000003
【図２】
2011093560.tif 000004
【図３】
2011093560.tif 000005
【図４】
2011093560.tif 000006
【図５】
2011093560.tif 000007
【図６】
2011093560.tif 000008
【図７】
2011093560.tif 000009
【図８】
2011093560.tif 000010
【図９】
2011093560.tif 000011